(57)【要約】      （修正有）【課題】コンテンツ情報を分かりやすく提示するとともに、コンテンツの視聴を速やかに行わせる。【解決手段】テレビ装置がスタンバイ状態にある場合に、お勧め番組の映像情報をリモコン装置に送信するテレビ装置と、受信した映像情報をお勧め映像としてタッチパネルに表示し、タッチ選択に応じてテレビ装置が当該お勧め番組の出力を開始するような制御信号をテレビ装置に送信するリモコン装置とからなるリモコンリコメンドシステムを提供する。【選択図】図１
2010147726.tif 000002
【特許請求の範囲】
【請求項１】
ユーザに視聴させるためコンテンツを出力する視聴部と、
コンテンツを選択するための条件を保持する条件保持部と、
前記条件に従って選択されるコンテンツの映像情報を取得する映像情報取得部と、
少なくとも視聴部がスタンバイ状態であることを検知するスタンバイ状態検知部と、
スタンバイ状態検知部がスタンバイ状態であることを検知した場合に、映像情報取得部にて取得した映像情報をリモコン装置に送信するようテレビ側通信部を制御するお勧め送信制御手段を有し、テレビ装置の各部を制御するテレビ装置制御部と、
リモコン装置と通信するためのテレビ側通信部と、
を有するテレビ装置と、
テレビ装置と通信するためのリモコン側通信部と、
操作入力を受け付けるための操作入力受付部と、
受信した映像情報を、お勧め映像として表示するリモコン映像表示部と、
お勧め映像が表示中に操作入力受付部に対する選択入力を検知する選択入力検知部と、
選択されたコンテンツの視聴のための出力を開始するように制御させるための信号である視聴開始制御用信号を生成する視聴開始制御用信号生成部と、
選択入力検知部での選択入力の検知に応じて、前記生成される視聴開始制御用信号をテレビ装置に送信するようにリモコン側通信部を制御するリモコン装置制御部と、
を有するリモコン装置と、
からなるリモコンリコメンドシステム。
【請求項２】
前記リモコン装置のリモコン映像表示部と、操作入力受付部とは、受信した映像情報を、お勧め映像として表示し、操作入力を受け付けるためのタッチパネル部である請求項１に記載のリモコンリコメンドシステム。
【請求項３】
条件保持部は、
ユーザの嗜好に合致するコンテンツを選択するためにユーザによって選択されたユーザキーワードを保持するユーザキーワード保持手段と、
コンテンツと、その内容を表すコンテンツキーワードとを関連付けたコンテンツ検索情報を保持するコンテンツ検索情報保持手段と、
ユーザキーワードと合致するコンテンツキーワードを含むコンテンツを、コンテンツ検索情報を利用して選択するとのルールを保持するルール保持手段と、
を有する請求項１または２に記載のリモコンリコメンドシステム。
【請求項４】
リモコン装置制御部は、視聴開始制御用信号をテレビ装置に送信するようにリモコン側通信部を制御することに応じて、リモコン映像表示部でのお勧め映像の表示を中止する制御を行う中止制御手段を有する請求項１から３のいずれか一に記載のリモコンリコメンドシステム。
【請求項５】
リモコン装置は、
ユーザに対して操作入力を案内するためのグラフィック映像情報を保持するグラフィック映像情報保持部を有し、
リモコン装置制御部は、視聴開始制御用信号をテレビ装置に送信するようにリモコン側通信部を制御することに応じて、グラフィック映像情報保持部に保持されているグラフィック映像情報を表示させるようにリモコン映像表示部を制御する第一グラフィック映像表示制御手段を有する請求項４に記載のリモコンリコメンドシステム。
【請求項６】
リモコン装置制御部は、受信した映像情報を、お勧め映像としてリモコン映像表示部に表示中は、グラフィック映像情報保持部に保持されているグラフィック映像情報を表示させないようにリモコン映像表示部を制御する第二グラフィック映像表示制御手段を有する請求項５に記載のリモコンリコメンドシステム。
【請求項７】
相互に通信可能な、テレビ装置と、リモコン装置とからなるリモコンリコメンドシステムの動作方法であって、
前記テレビ装置にて、
コンテンツを選択するための条件に従って選択されるコンテンツの映像情報を取得する映像情報取得ステップと、
前記テレビ装置がスタンバイ状態であることを検知するスタンバイ状態検知ステップと、
前記スタンバイ状態検知ステップにてスタンバイ状態であることを検知した場合に、映像情報取得ステップにて取得した映像情報をリモコン装置に送信するお勧め送信ステップと、を有し、
前記リモコン装置にて、
受信した映像情報を、お勧め映像として表示するリモコン映像表示ステップと、
前記リモコン映像表示ステップにて表示されるお勧め映像が表示中に選択入力を検知する選択入力検知ステップと、
前記選択入力検知ステップにて、選択入力を検知した場合に、選択入力されたコンテンツの視聴のための出力を開始するように制御させるための信号である視聴開始制御用信号を生成する視聴開始制御用信号生成ステップと、
前記視聴開始制御用信号生成ステップにて生成された視聴開始制御用信号をテレビ装置に送信する視聴開始制御用信号送信ステップと、を有するリモコンリコメンドシステムの動作方法。
【発明の詳細な説明】
【技術分野】
【０００１】
本件発明は、テレビ装置と、テレビ装置と相互に通信可能であってディスプレイを備えるリモコン装置とからなり、所定の条件に従って選択されるコンテンツの映像情報をリモコン装置のディスプレイに表示するとともに、リモコン装置での操作によって当該コンテンツの映像がテレビ装置にて表示されるリモコンリコメンドシステムに関する。
【背景技術】
【０００２】
従来のアナログ放送に加えて、地上デジタル放送や衛星放送などの放送メディアの増加や大容量の記憶装置を備える録画再生装置等の普及に伴い視聴可能なコンテンツ数が飛躍的に増大している。このような状況の中で、ユーザが所望のコンテンツを選択するための手間が増え、快適な視聴環境とは言えず、ともすれば視聴行為が億劫なものとなりかねない。そこで、コンテンツ選択の手間を軽減し視聴環境を快適なものとするために、種々の装置が提案されている。例えば、特許文献１には、現時点で受信可能な番組であって、かつ、予め設定された条件に合致する番組（お勧め番組）を検索して当該番組情報をリモコンに送信し、その番組情報をリモコンのディスプレイに表示するテレビ装置が提案されている。これにより、現在視聴中の番組の視認性を阻害せずに、ユーザは所望の番組情報を適時に得ることができる。
【特許文献１】特開２００８−１４１４６２
【発明の開示】
【発明が解決しようとする課題】
【０００３】
しかしながら、上記の装置においては、テレビ装置の電源を投入し、視聴可能な状態にするための所定の操作を行った上で、お勧め番組情報がリモコンのディスプレイに表示され、その情報に基づき番組選択を行って視聴することになる。したがって、視聴開始時の手間は軽減されてはいない。また、表示されるお勧め番組情報は、文字情報であるためお勧め番組の内容を直感的に把握することが困難である。
本件発明は、上記課題に鑑みて、コンテンツ情報を分かりやすく提示するとともに、コンテンツの視聴が速やかに行われることを目的とする。
【課題を解決するための手段】
【０００４】
そこで、本件発明では、次に示すリモコンリコメンドシステム及びリモコンリコメンドシステムの動作方法を提供する。すなわち第一の発明としては、ユーザに視聴させるためコンテンツを出力する視聴部と、コンテンツを選択するための条件を保持する条件保持部と、前記条件に従って選択されるコンテンツの映像情報を取得する映像情報取得部と、少なくとも視聴部がスタンバイ状態であることを検知するスタンバイ状態検知部と、スタンバイ状態検知部がスタンバイ状態であることを検知した場合に、映像情報取得部にて取得した映像情報をリモコン装置に送信するようテレビ側通信部を制御するお勧め送信制御手段を有し、テレビ装置の各部を制御するテレビ装置制御部と、リモコン装置と通信するためのテレビ側通信部とを有するテレビ装置と、テレビ装置と通信するためのリモコン側通信部と、操作入力を受け付けるための操作入力受付部と、受信した映像情報を、お勧め映像として表示するリモコン映像表示部と、お勧め映像が表示中に操作入力受付部に対する選択入力を検知する選択入力検知部と、選択されたコンテンツの視聴のための出力を開始するように制御させるための信号である視聴開始制御用信号を生成する視聴開始制御用信号生成部と、選択入力検知部での選択の検知に応じて、前記生成される視聴開始制御用信号をテレビ装置に送信するようにリモコン側通信部を制御するリモコン装置制御部とを有するリモコン装置とからなるリモコンリコメンドシステムを提供する。
【０００５】
第二の発明としては、前記リモコン装置のリモコン映像表示部と、操作入力受付部とは、受信した映像情報を、お勧め映像として表示し、操作入力を受け付けるためのタッチパネル部である第一の発明に記載のリモコンリコメンドシステムを提供する。
【０００６】
第三の発明としては、条件保持部は、ユーザの嗜好に合致するコンテンツを選択するためにユーザによって選択されたユーザキーワードを保持するユーザキーワード保持手段と、コンテンツと、その内容を表すコンテンツキーワードとを関連付けたコンテンツ検索情報を保持するコンテンツ検索情報保持手段と、ユーザキーワードと合致するコンテンツキーワードを含むコンテンツを、コンテンツ検索情報を利用して選択するとのルールを保持するルール保持手段とを有する第一の発明または第二の発明に記載のリモコンリコメンドシステムを提供する。
【０００７】
第四の発明としては、リモコン装置制御部は、視聴開始制御用信号をテレビ装置に送信するようにリモコン側通信部を制御することに応じて、リモコン映像表示部でのお勧め映像の表示を中止する制御を行う中止制御手段を有する第一の発明から第三の発明のいずれか一に記載のリモコンリコメンドシステムを提供する。
【０００８】
第五の発明としては、リモコン装置は、ユーザに対して操作入力を案内するためのグラフィック映像情報を保持するグラフィック映像情報保持部を有し、リモコン装置制御部は、視聴開始制御用信号をテレビ装置に送信するようにリモコン側通信部を制御することに応じて、グラフィック映像情報保持部に保持されているグラフィック映像情報を表示させるようにリモコン映像表示部を制御する第一グラフィック映像表示制御手段を有する第四の発明に記載のリモコンリコメンドシステムを提供する。
【０００９】
第六の発明としては、リモコン装置制御部は、受信した映像情報を、お勧め映像としてリモコン映像表示部に表示中は、グラフィック映像情報保持部に保持されているグラフィック映像情報を表示させないようにリモコン映像表示部を制御する第二グラフィック映像表示制御手段を有する第五の発明に記載のリモコンリコメンドシステムを提供する。
【００１０】
第七の発明としては、相互に通信可能な、テレビ装置と、リモコン装置とからなるリモコンリコメンドシステムの動作方法であって、前記テレビ装置にて、コンテンツを選択するための条件に従って選択されるコンテンツの映像情報を取得する映像情報取得ステップと、前記テレビ装置がスタンバイ状態であることを検知するスタンバイ状態検知ステップと、前記スタンバイ状態検知ステップにてスタンバイ状態であることを検知した場合に、映像情報取得ステップにて取得した映像情報をリモコン装置に送信するお勧め送信ステップと、を有し、前記リモコン装置にて、受信した映像情報を、お勧め映像として表示するリモコン映像表示ステップと、前記リモコン映像表示ステップにて表示されるお勧め映像が表示中に選択入力を検知する選択入力検知ステップと、前記選択入力検知ステップにて、選択入力を検知した場合に、選択入力されたコンテンツの視聴のための出力を開始するように制御させるための信号である視聴開始制御用信号を生成する視聴開始制御用信号生成ステップと、前記視聴開始制御用信号生成ステップにて生成された視聴開始制御用信号をテレビ装置に送信する視聴開始制御用信号送信ステップとを有するリモコンリコメンドシステムの動作方法を提供する。
【発明の効果】
【００１１】
本件発明により、視聴開始の段階におけるユーザの視聴環境を快適なものとすることが可能になる。
【発明を実施するための最良の形態】
【００１２】
以下、本件発明の実施の形態について説明する。なお、本件発明は、これらの実施形態に何ら限定されるべきものではなく、その要旨を逸脱しない範囲において、種々なる態様で実施し得る。
【００１３】
実施形態１は、主に請求項１、７について説明する。
【００１４】
実施形態２は、主に請求項２について説明する。
【００１５】
実施形態３は、主に請求項３について説明する。
【００１６】
実施形態４は、主に請求項４について説明する。
【００１７】
実施形態５は、主に請求項５について説明する。
【００１８】
実施形態６は、主に請求項６について説明する。
＜実施形態１＞
＜実施形態１  概要＞
【００１９】
本実施形態は、相互に通信可能なテレビ装置とリモコン装置とからなるリモコンリコメンドシステムに関するものである。概略的には、テレビ装置がスタンバイ状態にある場合に、お勧め番組の映像情報をリモコン装置に送信するテレビ装置と、受信した映像情報をお勧め映像として表示し、表示されたお勧め映像の選択に応じて、テレビ装置が当該お勧め番組の出力を開始するような制御信号を、テレビ装置に送信するリモコン装置とからなるシステムである。図１は本実施形態における概略の一例を示したものである。図１Ａは、テレビ装置（０１００）がスタンバイ状態にありリモコン装置（０１１０）のリモコン映像表示部（０１１１）にはお勧め映像が表示されている。その状態で、ユーザが選択入力を行うと図１Ｂの状態に推移する。すなわち、テレビ装置（０１０１）は、スタンバイ状態から稼働状態に変わり、選択入力されたお勧め番組がテレビ装置のディスプレイに表示され、リモコン装置（０１１２）のお勧め映像表示部（０１１３）ではお勧め映像は表示されない。
＜実施形態１  構成＞
【００２０】
本実施形態に係るリモコンリコメンドシステムの機能ブロック図を図１に例示する。リモコンリコメンドシステムは、「テレビ装置」（０２００）と「リモコン装置」（０２１０）とを備える。テレビ装置は、「視聴部」（０２０１）と、「条件保持部」（０２０２）と、「映像情報取得部」（０２０３）と、「スタンバイ状態検知部」（０２０４）と、「お勧め送信制御手段」（０２０６）を有する「テレビ装置制御部」（０２０５）と、「テレビ側通信部」（０２０７）とを有する。リモコン装置は、「リモコン側通信部」（０２１１）と、「操作入力受付部」（０２１２）と、「リモコン映像表示部」（０２１３）と、「選択入力検知部」（０２１４）と、「視聴開始制御用信号生成部」（０２１５）と、「リモコン装置制御部」（０２１６）とを有する。
【００２１】
本件発明の構成要素である各部は、ハードウェア、ソフトウェア、ハードウェアとソフトウェアの両者、のいずれかによって構成される。例えば、これらを実現する一例としてコンピュータを利用する場合には、ＣＰＵ、メモリ、バス、インターフェイス、周辺装置等から構成されるハードウェアと、これらのハードウェア上で実行可能なソフトウェアを挙げることができる。具体的には、メモリ上に展開されたプログラムを順次実行することで、メモリ上のデータや、インターフェイスを介して入力されるデータの加工、蓄積、出力等により各部の機能が実現される（本明細書の全体を通じて同様である）。
【００２２】
まず、「テレビ装置」（０２００）の各構成について説明する。
【００２３】
「視聴部」（０２０１）は、ユーザに視聴させるためのコンテンツを出力する機能を有する。ここで、「コンテンツ」は、アナログ地上波放送、ＢＳアナログ放送、デジタル地上波放送、ＢＳデジタル放送、ＣＳ放送などで放送される番組やインターネット放送やケーブル放送などで放送される番組のほか、本件テレビ装置と接続された周辺装置において蓄積された番組なども含まれる。視聴部は、一例として、描画処理のためのグラフィックボード（ビデオカード）、ディスプレイ、スピーカなどで構成されている。
【００２４】
「条件保持部」（０２０２）は、コンテンツを選択するための条件を保持する機能を有する。コンテンツを選択するための条件としては、例えば、コンテンツが放送される日時およびチャンネルを条件とすることが挙げられる。具体的には、「毎週土曜日」、「８：００−９：００」、「ＢＳ４チャンネル」という具合である。また、異なる条件としては、録画装置等に蓄積されたコンテンツが対象となるが、「未視聴であるコンテンツ」としてもよい。「映像情報取得部」（０２０３）は、この条件に従ってコンテンツを特定し映像取得することができる。さらに、複数の条件を重畳的に用いて一の条件としてもよいし（条件Ａかつ条件Ｂ）、選択的に用いて一の条件としてもよい（条件Ａまたは条件Ｂ）。条件保持部は、上記のような所定の条件をＨＤＤやメモリ等の記憶装置に格納して保持する。
【００２５】
「映像情報取得部」（０２０３）は、前記条件に従って選択されるコンテンツの映像情報を取得する機能を有する。コンテンツの映像情報とは、リモコン映像表示部にて表示されるお勧め映像を生成するための情報である。映像情報取得部は、まず、前記条件に従ってコンテンツの選択を行う。上記「条件保持部」の例とすれば、「毎週土曜日」、「８：００−９：００」、「ＢＳ４チャンネル」の条件や「未視聴であるコンテンツ」により特定されるコンテンツを選択する。
【００２６】
続いて、選択されたコンテンツについて、その内容をリモコン映像表示部に表示するための映像情報として取得する。映像情報としては、チューナなどから受信した放送コンテンツやテレビ装置の外部あるいは内部に備えられているＨＤＤ等の記録装置に記録されているコンテンツのデータを映像生成のためのデコード処理を行った後の情報として取得してもよいし、デコード処理を行う前の情報として取得してもよい。また、リモコン映像表示部に応じて映像データのコンバート処理を行った後の情報として取得してもよい。例えば、静止画映像として表示する場合には、動画コンテンツの１シーン（フレーム）を切り出した画像データなどが該当する。また、動画映像とする場合には、放送中のコンテンツであれば、チューナにより受信された放送番組データを一旦動画メモリなどに蓄積し、所定数のフレームの動画像として切り出してもよい。録画再生装置等に記録されたコンテンツについても同様に１フレーム乃至所定数フレームで切り出すことができる。さらに、リモコン映像表示部にて表示されることを考慮して、画像の縮小加工をしてもよい。
【００２７】
映像情報の取得のタイミングや頻度などについては、常に行うようにしてもよいし、所定の間隔にて間欠的に行ってもよい。また、これらについてユーザが設定してもよい。また、放送時間帯が経過した映像情報を消去してもよい。また、このような処理を、後述するテレビ装置制御部の制御に従って行ってもよい。
【００２８】
「スタンバイ状態検知部」（０２０４）は、少なくとも視聴部がスタンバイ状態であることを検知する機能を有する。スタンバイ状態であるということは、視聴部においてユーザにコンテンツを視聴させるための出力が行われていない状態をいう。すなわち、コンテンツの映像がディスプレイ上に表示されるためのテレビ装置における最終段階の処理が行われていない状態やコンテンツの出力のみが行われていない状態をいう。これは、上述した映像情報取得部の機能とも関連する。例えば、映像情報取得部が、デコード前の状態で取得する場合には、ディスプレイなどの表示装置のみならずデコーダやコンバータが稼働していなくても映像情報取得部は機能し得るので、映像情報取得部の機能に関与しない処理が行われていない状態をもってスタンバイ状態とすることができる。また、リモコン映像表示部に応じて映像データのコンバート処理を行った後の情報を取得する場合には、デコーダやコンバータが稼働している状態がスタンバイ状態に含まれる。さらに、視聴開始の指示を受付けた際の映像の立ち上がりを早くするためにディスプレイのみの稼働を停止あるいは休止している状態や、コンテンツは表示せずに現在時刻やテレビ装置の状態を示す表示のみ行う状態や、テレビ装置のブランドロゴを表示している状態や、スクリーンセーバーを表示している状態などもスタンバイ状態に含まれる。
【００２９】
「テレビ装置制御部」（０２０５）は、テレビ装置の各部を制御する機能を有し、さらに、「お勧め送信制御手段」（０２０６）を有する。具体的には、視聴部、条件保持部、映像情報取得部、スタンバイ状態検知部、を制御し、特にテレビ側通信部などを制御するお勧め送信制御手段を有する。テレビ装置制御部は、例えば、映像情報取得部に対して、映像情報を取得するタイミングや頻度を制御してもよい。また、放送番組コンテンツについては、放送時間帯が経過した後は、当該映像情報を消去するように制御してもよい。あるいは、条件保持部に対して、保持されている条件が複数ある場合には、映像情報取得部が従う条件を、視聴するユーザや曜日あるいは時間帯に応じて変更するように制御してもよい。
【００３０】
「お勧め送信制御手段」（０２０６）は、スタンバイ状態検知部がスタンバイ状態であることを検知した場合に、映像情報取得部にて取得した映像情報をリモコン装置に送信するようテレビ側通信部を制御する機能を有する。例えば、テレビ側通信部が映像情報をリモコン装置に送信するタイミングや頻度を制御してもよい。また、選択された映像情報の数が所定数を上回る場合には、送信する映像情報の数を一定数に制限して送信するように制御してもよい。
【００３１】
「テレビ側通信部」（０２０７）は、リモコン装置と通信するための機能を有する。通信方式の具体例は、ＩｒＤＡ（Ｉｎｆｒａｒｅｄ Ｄａｔａ Ａｓｓｏｃｉａｔｉｏｎ）やＩｒＳｉｍｐｌｅなどの赤外線通信、Ｂｌｕｅｔｏｏｔｈ（登録商標）、Ｗｉｒｅｌｅｓｓ ＵＳＢ、ＮＦＣ（Ｎｅａｒ Ｆｉｅｌｄ Ｃｏｍｍｕｎｉｃａｔｉｏｎ）、無線ＬＡＮなどの無線通信である。なお、インターネットを介在させたり所定のインターフェイスに則した有線通信であっても構わない。
【００３２】
次に、「リモコン装置」（０２１０）の各構成について説明する。
【００３３】
「リモコン側通信部」（０２１１）は、テレビ装置と通信するための機能を有する。通信方法の具体例は、上述の「テレビ側通信部」と同様であるので説明を省略する。
【００３４】
「操作入力受付部」（０２１２）は、操作入力を受け付けるための機能を有する。例えば、操作信号入力やデータ入力などを行うために利用されるユーザインターフェイスであり、ボタン、方向指示キー、タッチホイール、ジョグダイヤルあるいはタッチパネルなどにより実現される。入力された操作信号等は解釈され、所定の処理に供される。
【００３５】
「リモコン映像表示部」（０２１３）は、リモコン側通信部にて受信した映像情報を、お勧め映像として表示する機能を有する。リモコン映像表示部は、映像生成のためのＧＰＵ（Ｇｒａｐｈｉｃｓ  Ｐｒｏｃｅｓｓｉｎｇ  Ｕｎｉｔ）やＶＲＡＭなどとディスプレイなどとで構成され、受信した映像情報に基づいて生成された映像をディスプレイ等に表示する。ディスプレイとしては、例えば、液晶ディスプレイ、プラズマディスプレイ、ＥＬディスプレイ、などを用いることができる。また、ディスプレイの形は、図１に示したような丸型に限られず角型などの他の形態を採用してもよい。
【００３６】
「リモコン映像表示部」にて、お勧め映像が表示されている具体例を図３及び図４に示す。図３では、リモコン装置（０３０１）に角型のディスプレイ（０３０２）が備えられていて、ディスプレイには、お勧め映像として４つのコンテンツの映像（０３０３、０３０４、０３０５、０３０６）が表示されている。また、図４では、リモコン装置（０４０１）に丸型のディスプレイ（０４０２）が備えられていて、１つのコンテンツの映像情報が表示されている。リモコン映像表示部は、お勧め映像を複数同時に表示してもよいし、操作入力受付部が受け付ける操作入力に応じて順次表示してもよい。
【００３７】
「選択入力検知部」（０２１４）は、お勧め映像が表示中に操作入力受付部に対する選択入力を検知する機能を有する。選択入力の検知としては、図３のように複数のお勧め映像が表示されている場合には、選択対象となるお勧め映像をボタン、キー、ダイヤルなどの操作により特定したうえで「選択」や「決定」などの操作入力を検知してもよい。図４のようにディスプレイに１つずつお勧め映像が表示される場合には、表示されているお勧め映像に対する「選択」や「決定」などの操作入力を検知してもよい。
【００３８】
「視聴開始制御用信号生成部」（０２１５）は、選択入力されるコンテンツの視聴のための出力を開始するように制御させるための信号である視聴開始制御用信号を生成する機能を有する。「視聴開始用制御信号」は、リモコン側通信部を介してテレビ装置に送信され、テレビ装置制御部によって解釈されテレビ装置の各部を制御するために用いられる。例えば、テレビ装置において、スタンバイ状態を解除するための制御信号や選択されたコンテンツのチャンネルをチューナにて選択するための信号などが含まれる。また、外部の録画再生装置等に記録されているコンテンツを選択した場合であれば、当該装置に当該コンテンツを再生させる制御信号などが含まれる。
【００３９】
「リモコン装置制御部」（０２１６）は、選択入力検知部での選択入力の検知に応じて、前記生成される視聴開始制御用信号をテレビ装置に送信するようにリモコン側通信部を制御する機能を有する。
＜実施形態１  ハードウェア構成＞
【００４０】
次に、本実施形態のリモコンリコメンドシステムのそれぞれのハードウェア構成について説明する。図５は、本実施形態のリモコンリコメンドシステムのテレビ装置のハードウェア構成の一例を示す概略図である。この図を利用して、テレビ装置のそれぞれのハードウェア構成部の働きについて説明する。この図にあるように、テレビ装置は、映像情報取得部とスタンバイ状態検知部とテレビ装置制御部に「ＣＰＵ」（０５０１）と「メインメモリ」（０５０２）を備える。また、条件保持部に「記憶装置」（０５０３）を備えている。また、放送される番組コンテンツを受信する「チューナ」（０５０４）や、インターネット回線を介して配信されるコンテンツやＥＰＧ情報を取得するための「インターネット接続回路」（０５０５）や外部のコンテンツ録画再生装置などと接続するための「外部装置接続端子」（図示省略）を備えている。また、テレビ側通信部に「操作信号送受信回路」（０５０６）を備えている。また、視聴部に「スピーカ」（０５０７）と描画処理のためのグラフィックボード（ビデオカード）などである「表示回路」（０５０８）と「ディスプレイ」（０５０９）などを備えている。これらは「システムバス」（０５１０）などのデータ通信経路によって相互に接続され、情報の送受信や処理を行う。「記憶装置」はＣＰＵによって実行される各種プログラムなどを記憶している。また、「メインメモリ」は、プログラムがＣＰＵによって実行される際の作業領域であるワーク領域を提供する。また、この「メインメモリ」や「記憶装置」にはそれぞれ複数のアドレスが割り当てられており、「ＣＰＵ」の演算処理においては、そのアドレスを特定し格納されているデータにアクセスすることで、データを用いた演算処理を行うことが可能となっている。
【００４１】
ＣＰＵはメインメモリに展開された映像情報取得プログラムを実行して、予め記憶装置に記憶されているコンテンツを選択するための条件を取得する。そして、チューナ及び外部装置接続端子を介して、放送されているコンテンツ及び録画再生装置に記録されているコンテンツに関する放送日時やチャンネルや視聴済みか否かなどの属性情報を取得し、条件に該当するコンテンツを選択する。さらに、選択されたコンテンツの映像信号を取得して、コンテンツの映像情報としての１フレームの静止画像あるいは所定数フレームからなる動画像を生成しメインメモリに保持する。
【００４２】
次に、ＣＰＵはメインメモリに展開されたスタンバイ状態検知プログラムを実行して、少なくとも視聴部がスタンバイ状態にあるかを検知する。スタンバイ状態であることを検知した場合には、続いて、お勧め送信制御プログラムを実行し、メインメモリに保持されているコンテンツの映像情報を、操作信号送受信回路を介してリモコン装置に送信する。
【００４３】
図６は、本実施形態のリモコンリコメンドシステムのリモコン装置のハードウェア構成の一例を示す概略図である。リモコン装置は、選択入力検知部と視聴開始用制御信号生成部とリモコン装置制御部に「ＣＰＵ」（０６０１）と「メインメモリ」（０６０２）を備える。また、リモコンコードや映像情報を記憶する「記憶装置」（０６０３）を備え、リモコン映像表示部にＧＰＵやＶＲＡＭなどで構成される「表示回路」（０６０４）と「ディスプレイ」（０６０５）を備える。さらに、リモコン側通信部に「操作信号送受信回路」（０６０６）、操作入力受付部に操作入力等のためのボタンやダイヤルなどの「インターフェイス」（０６０７）を備える。これらは「システムバス」（０６０８）などのデータ通信経路によって相互に接続され、情報の送受信や処理を行う。「記憶装置」はＣＰＵによって実行される各種プログラムなどを記憶している。また、「メインメモリ」は、プログラムがＣＰＵによって実行される際の作業領域であるワーク領域を提供する。また、この「メインメモリ」や「記憶装置」にはそれぞれ複数のアドレスが割り当てられており、「ＣＰＵ」の演算処理においては、そのアドレスを特定し格納されているデータにアクセスすることで、データを用いた演算処理を行うことが可能となっている。
【００４４】
まず、ＣＰＵは、テレビ装置から映像情報を、操作信号送受信回路を介して取得し、メインメモリの所定領域に格納する。そして、メインメモリに展開したリモコン映像表示プログラムを実行する。そして、格納された映像情報を表示回路に送出し、表示回路に対してＶＲＡＭ上で描画処理を行うよう指示する。そして、描画処理により生成した映像をディスプレイに出力し、表示する。次に、選択入力検知プログラムを実行してインターフェイスに対する選択入力を検知した場合には、ＣＰＵは、メインメモリに展開した視聴開始制御用プログラムを実行して、選択入力により選択されたコンテンツを特定して当該コンテンツの視聴のための出力を開始するように制御させるための視聴開始用制御信号を生成する処理を行う。さらに、操作信号送受信回路を介して視聴開始制御用信号をテレビ装置に送信する。そして、メインメモリに展開されていたリモコン映像表示プログラムの実行を中止する。
＜実施形態１  処理の流れ＞
【００４５】
図７は、本実施形態のリモコンリコメンドシステムにおける処理の流れの一例を表すフローチャートである。なお、以下に示すステップは、媒体に記録され計算機を制御するためのプログラムを構成する処理ステップであっても構わない。図７Ａに示したリモコンリコメンドシステムにおけるテレビ装置の処理の流れは、まず、コンテンツを選択するための条件に従って選択されるコンテンツの映像情報を取得する（ステップＳ０７０１）。そして、視聴部が少なくともスタンバイ状態にあるかを検知し、スタンバイ状態にあると検知した場合には、ステップＳ０７０３に進み、スタンバイ状態にあると検知しない場合には、ステップＳ０７０１に戻る（ステップＳ０７０２）。ステップＳ０７０２で、スタンバイ状態であると検知された場合には、選択されたコンテンツの映像情報をリモコン装置に送信する（ステップＳ０７０３）。
【００４６】
図７Ｂは、リモコンリコメンドシステムにおけるリモコン装置の処理の流れを示すものである。まず、テレビ装置から受信した映像情報をお勧め映像として表示する（ステップＳ０７１１）。そして、お勧め映像が表示中に対する選択入力を検知し、選択入力されたと検知した場合には、ステップＳ０７１３に進み、選択入力されていないと検知した場合には、ステップＳ０７１１に戻る（ステップＳ０７１２）。ステップＳ０７１２で、選択入力されたと検知した場合には、選択入力されるコンテンツの視聴のための出力を開始するように制御させるための視聴開始制御用信号を生成する（ステップＳ０７１３）。さらに、生成された視聴開始制御用信号をテレビ装置に送信する（ステップＳ０７１４）。
＜実施形態１  効果＞
【００４７】
本実施形態におけるリモコンリコメンドシステムにより、テレビ装置のスタンバイ時にお勧めコンテンツ情報が分かり、速やかに当該コンテンツの視聴が可能となる。
＜実施形態２＞
＜実施形態２  概要＞
【００４８】
本実施形態は、実施形態１を基本として、リモコン装置が、リモコン映像表示と操作入力受付の両機能を備えるタッチパネル部を有することを特徴とするリモコンリコメンドシステムである。
＜実施形態２  構成＞
【００４９】
本実施形態のリモコンリコメンドシステムは、実施形態１におけるリモコン装置のリモコン映像表示部と、操作入力受付部とは、受信した映像情報を、お勧め映像として表示し、操作入力を受け付けるためのタッチパネル部であるものである。
【００５０】
本実施形態に係るリモコンリコメンドシステムの機能ブロック図を図８に例示する。リモコンリコメンドシステムは、「テレビ装置」（０８００）と「リモコン装置」（０８１０）とを備える。テレビ装置は、「視聴部」（０８０１）と、「条件保持部」（０８０２）と、「映像情報取得部」（０８０３）と、「スタンバイ状態検知部」（０８０４）と、「お勧め送信制御手段」（０８０６）を有する「テレビ装置制御部」（０８０５）と、「テレビ側通信部」（０８０７）とを有する。リモコン装置は、「リモコン側通信部」（０８１１）と、「選択入力検知部」（０８１４）と、「視聴開始制御用信号生成部」（０８１５）と、「リモコン装置制御部」（０８１６）と、「タッチパネル部」（０８１７）とを有し、「タッチパネル部」（０８１７）は、「操作入力受付部」（０８１２）と、「リモコン映像表示部」（０８１３）とからなる。
【００５１】
「タッチパネル部」（０８１７）は、「リモコン映像表示部」としての受信した映像情報をお勧め映像として表示する機能と、「操作入力受付部」としての操作入力を受付ける機能を有する。具体的には、出力デバイスとしてのディスプレイと、入力デバイスとしてのセンサ、コントローラなどから構成されるものである。操作入力を行う場合には、指やスタイラスペンなどによって入力を行う。タッチパネルの方式としては、抵抗膜方式や、静電容量方式や、電磁誘導方式や、超音波方式などが挙げられる。タッチパネルの形状は四角や丸などの種々の形であってよく、凹凸を設けたりドーム状にするなど立体的形状としてもよい。なお、タッチパネル部は、操作入力のためのボタンやキーなどをタッチパネルの他に備えていてもよい。
【００５２】
「タッチパネル部」におけるリモコン映像表示と操作入力についての具体例を、実施形態１で用いた図３及び図４により説明する。図３のように、リモコン装置（０３０１）に備えられた角型の「タッチパネル部」（０３０２）に、お勧め映像として４つのコンテンツの映像（０３０３、０３０４、０３０５、０３０６）が表示されている場合には、選択対象となるお勧め映像が表示されているタッチパネルの領域にタッチすることで操作入力を受付ける。また、図４のように、リモコン装置（０４０１）に備えられた丸型の「タッチパネル部」（０４０２）に、１つのコンテンツの映像情報が表示されている場合には、タッチパネルの中央部分にタッチすることで操作入力を受付けてもよい。なお、図においては、タッチパネルのほかに操作を受付けるボタンなどを示しているが、このようなボタンを備えず、すべての操作をタッチパネルにおいて受付けてもよい。
＜実施形態２  ハードウェア構成＞
【００５３】
本実施形態のリモコンリコメンドシステムのハードウェア構成部の働きについて説明する。なお、本実施形態のテレビ装置については、実施形態１と同様であるため説明を省略する。ここでは、リモコン装置に関するハードウェア構成について図９を用いて説明する。リモコン装置は、タッチパネル部に「表示回路」（０９０４）と「タッチパネル」（０９０５）を備える。リモコン装置は、タッチパネルの他に操作入力を受付けるためのボタンやキーなどのインターフェイスを備えてもよい（図示省略）。まず、ＣＰＵは、テレビ装置から映像情報を、操作信号送受信回路を介して取得し、メインメモリの所定領域に格納する。そして、メインメモリに展開したリモコン映像表示プログラムを実行する。そして、格納された映像情報を表示回路に送出し、表示回路に対してＶＲＡＭ上で描画処理を行うよう指示する。そして、描画処理により生成した映像をタッチパネルに出力し、タッチパネルに表示する。次に、選択入力検知プログラムを実行してタッチパネルに対する選択入力を検知した場合には、ＣＰＵは、メインメモリに展開した視聴開始制御用プログラムを実行して、タッチ選択により選択されたコンテンツを特定して当該コンテンツの視聴のための出力を開始するように制御させるための視聴開始用制御信号を生成する処理を行う。さらに、操作信号送受信回路を介して視聴開始制御用信号をテレビ装置に送信する。
＜実施形態２  効果＞
【００５４】
本実施形態におけるリモコンリコメンドシステムにより、テレビ装置のスタンバイ時にお勧めコンテンツ情報が分かり、速やかに当該コンテンツの視聴が可能となる。
＜実施形態３＞
＜実施形態３  概要＞
【００５５】
本実施形態は、実施形態１または２を基本として、ユーザキーワードとコンテンツ検索情報とを用いてユーザの嗜好に合致するコンテンツを選択することを特徴とするリモコンリコメンドシステムである。
＜実施形態３  構成＞
【００５６】
本実施形態のリモコンリコメンドシステムは、実施形態１または２におけるテレビ装置の条件保持部が、さらに、ユーザキーワード保持手段と、コンテンツ検索情報保持手段と、ルール保持手段とを有するものである。
【００５７】
本実施形態に係るリモコンリコメンドシステムの機能ブロック図を図１０に例示する。リモコンリコメンドシステムは、「テレビ装置」（１０００）と「リモコン装置」（１０２０）とを備える。テレビ装置は、「視聴部」（１００１）と、「条件保持部」（１００２）と、「映像情報取得部」（１００３）と、「スタンバイ状態検知部」（１００４）と、「お勧め送信制御手段」（１００６）を有する「テレビ装置制御部」（１００５）と、「テレビ側通信部」（１００７）とを有し、条件保持部は、さらに「ユーザキーワード保持手段」（１００８）と、「コンテンツ検索情報保持手段」（１００９）と、「ルール保持手段」（１０１０）を有する。リモコン装置は、「リモコン側通信部」（１０２１）と、「操作入力受付部」（１０２２）と、「リモコン映像表示部」（１０２３）とからなる「タッチパネル部」（１０２７）と、「選択入力検知部」（１０２４）と、「視聴開始制御用信号生成部」（１０２５）と、「リモコン装置制御部」（１０２６）とを有する。
【００５８】
「ユーザキーワード保持手段」（１００８）は、ユーザの嗜好に合致するコンテンツを選択するためにユーザによって選択されたユーザキーワードを保持する機能を有する。例えば、図１１のようにデータベース等としてＨＤＤ等の所定の記憶領域に保持しておくことにより実現される。この例によれば、キーワードには、そのキーワードを一意に特定できるキーワードＩＤが付され、ユーザＩＤと関連付けて保持されている。また、キーワードの属性情報として、キーワード種別（ジャンル、タイトル、出演者等）や優先順位などを関連付けて保持してもよい。
【００５９】
「コンテンツ検索情報保持手段」（１００９）は、コンテンツと、その内容を表すコンテンツキーワードとを関連付けたコンテンツ検索情報を保持する機能を有する。コンテンツキーワードは、例えば、放送コンテンツであればＥＰＧ情報から取得したコンテンツのジャンルやタイトルや出演者などの属性情報をキーワードとしてもよいし、録画再生装置等に記録されているコンテンツについては、それが放送コンテンツを記録したものであれば、上述のようにＥＰＧ情報から取得可能であるし、ユーザにより入力されたキーワードであってもよい。また、コンテンツキーワードは１つに限られることはなく、複数のキーワードであってもよい。コンテンツ検索情報保持部は、例えば、図１２で示すようなデータベースとしてＨＤＤ等の記憶領域にコンテンツ検索情報を保持していてもよい。
【００６０】
「ルール保持手段」（１０１０）は、ユーザキーワードと合致するコンテンツキーワードを含むコンテンツを、コンテンツ検索情報を利用して選択するとのルールを保持する機能を有する。「合致する」とは、ユーザキーワードとコンテンツキーワードとが完全に一致することに限定されず、一部の一致をもって「合致する」としてもよい。また、ユーザキーワードとコンテンツキーワードが、それぞれ、または、いずれかが複数存在する場合には、全部が一致することに限られず、いずれかのキーワードとコンテンツキーワードとが一致することをもって「合致する」としてもよい。ルール保持手段は、ＨＤＤ等の所定の記憶領域にて実現され得る。
＜実施形態３  ハードウェア構成＞  
【００６１】
本実施形態のリモコンリコメンドシステムのハードウェア構成について説明する。なお、リモコン装置については実施形態１または２における構成と同様のため図示および説明を省略する。図１３は、本実施形態のリモコンリコメンドシステムのテレビ装置のハードウェア構成の一例を示す概略図である。この図にあるように、テレビ装置は、映像情報取得部とスタンバイ状態検知部とテレビ装置制御部に「ＣＰＵ」（１３０１）と「メインメモリ」（１３０２）を備える。また、条件保持部に「記憶装置」（１３０３）を備えている。また、放送される番組コンテンツを受信する「チューナ」（１３０４）や、インターネット回線を介して配信されるコンテンツやＥＰＧ情報を取得するための「インターネット接続回路」（１３０５）や外部のコンテンツ録画再生装置などと接続するための「外部装置接続端子」（１３０６）を備えている。また、テレビ側通信部に「操作信号送受信回路」（１３０７）を備えている。また、視聴部に「スピーカ」（１３１０）と描画処理のためのグラフィックボード（ビデオカード）などである「表示回路」（１３０９）と「ディスプレイ」（１３１０）などを備えている。これらは「システムバス」（１３１１）などのデータ通信経路によって相互に接続され、情報の送受信や処理を行う。
【００６２】
ここでは、主に、「ユーザキーワード保持手段」と「コンテンツ検索条件保持手段」と「ルール保持手段」とを有する「条件保持部」に関するハードウェア構成について説明する。ＣＰＵは、まず、記憶装置からルールをメインメモリに取得して、ルールを解釈する。次に、映像情報取得プログラムを実行し、ルールに従いユーザキーワードとコンテンツ検索情報を記憶装置から取得してメインメモリの所定領域に格納する。さらに、ユーザキーワードとコンテンツ検索情報とを照合してユーザキーワードと合致するコンテンツキーワードを含むコンテンツを選択する。選択されたコンテンツの映像情報を取得した以降の処理は、実施形態１または２において説明したので省略する。
＜実施形態３  効果＞
【００６３】
本実施形態におけるリモコンリコメンドシステムにより、テレビ装置のスタンバイ時にユーザの嗜好に合致したコンテンツの情報が分かり、速やかに当該コンテンツの視聴が可能となる。
＜実施形態４＞
＜実施形態４  概要＞
【００６４】
本実施形態は、実施形態１から３のいずれか一を基本として、リモコン映像表示部に表示されるお勧め映像を選択入力した場合に、リモコン映像表示部でのお勧め映像の表示を中止することを特徴とするリモコンリコメンドシステムである。
＜実施形態４  構成＞
【００６５】
本実施形態のリモコンリコメンドシステムは、実施形態１から３のいずれか一におけるリモコン装置のリモコン装置制御部が、さらに、中止制御手段を有するものである。
【００６６】
本実施形態に係るリモコンリコメンドシステムの機能ブロック図を図１４に例示する。リモコンリコメンドシステムは、「テレビ装置」（１４００）と「リモコン装置」（１４２０）とを備える。テレビ装置は、「視聴部」（１４０１）と、「ユーザキーワード保持手段」（１４０８）と、「コンテンツ検索情報保持手段」（１４０９）と、「ルール保持手段」（１４１０）を有する「条件保持部」（１４０２）と、「映像情報取得部」（１４０３）と、「スタンバイ状態検知部」（１４０４）と、「お勧め送信制御手段」（１４０６）を有する「テレビ装置制御部」（１４０５）と、「テレビ側通信部」（１４０７）とを有する。リモコン装置は、「リモコン側通信部」（１４２１）と、「操作入力受付部」（１４２２）と、「リモコン映像表示部」（１４２３）とからなる「タッチパネル部」（１４２７）と、「選択入力検知部」（１４２４）と、「視聴開始制御用信号生成部」（１４２５）と、「リモコン装置制御部」（１４２６）とを有し、「リモコン装置制御部」（１４２６）は、さらに、「中止制御手段」（１４２８）を有する。
【００６７】
「中止制御手段」（１４２８）は、視聴開始制御用信号をテレビ装置に送信するようにリモコン側通信部を制御することに応じて、リモコン映像表示部でのお勧め映像の表示を中止する制御を行う機能を有する。視聴開始制御用信号がテレビ装置に送信されることにより、テレビ装置では、お勧め映像として選択されたコンテンツの視聴のための出力が開始される。これに応じて、リモコン装置のリモコン映像表示部においては、例えば、音量の調節などのコンテンツの視聴に伴う操作を受付ける必要がある。そこで、お勧め映像の表示を中止する。これにより、リモコン映像表示部にテレビ装置が視聴可能な状態での操作を受付けるための表示をすることなどが可能となる。
＜実施形態４  ハードウェア構成＞
【００６８】
本実施形態のリモコンリコメンドシステムのハードウェア構成部の働きについて説明する。なお、本実施形態のテレビ装置については、実施形態１から３のいずれか一と同様であるため説明を省略する。ここでは、主に、「中止制御手段」を有する「リモコン装置制御部」に関するハードウェア構成について説明する。ＣＰＵは、選択入力を検知した場合に、操作信号送受信回路を介して視聴開始制御用信号をテレビ装置に送信する。そして、メインメモリに展開されていたリモコン映像表示プログラムの実行を中止する。
＜実施形態４  効果＞
【００６９】
本実施形態におけるリモコンリコメンドシステムにより、リモコン映像表示部でのお勧め映像の表示が中止され、テレビ装置での視聴時に相応な操作項目を表示することができる。
＜実施形態５＞
＜実施形態５  概要＞
【００７０】
本実施形態は、実施形態４を基本として、リモコン映像表示部に表示されるお勧め映像を選択入力した場合に、リモコン映像表示部に操作入力を案内するためのグラフィック映像を表示することを特徴とするリモコンリコメンドシステムである。
＜実施形態５  構成＞
【００７１】
本実施形態のリモコンリコメンドシステムは、実施形態４におけるリモコン装置が、さらに、グラフィック映像情報保持部を有し、リモコン装置制御部は、さらに、第一グラフィック映像表示制御手段を有するものである。
【００７２】
本実施形態に係るリモコンリコメンドシステムの機能ブロック図を図１５に例示する。リモコンリコメンドシステムは、「テレビ装置」（１５００）と「リモコン装置」（１５２０）とを備える。テレビ装置は、「視聴部」（１５０１）と、「ユーザキーワード保持手段」（１５１０）と、「コンテンツ検索情報保持手段」（１５０９）と、「ルール保持手段」（１５１０）を有する「条件保持部」（１５０２）と、「映像情報取得部」（１５０３）と、「スタンバイ状態検知部」（１５０４）と、「お勧め送信制御手段」（１５０６）を有する「テレビ装置制御部」（１５０５）と、「テレビ側通信部」（１５０７）とを有する。リモコン装置は、「リモコン側通信部」（１５２１）と、「操作入力受付部」（１５２２）と、「リモコン映像表示部」（１５２３）とからなる「タッチパネル部」（１５２７）と、「選択入力検知部」（１５２４）と、「視聴開始制御用信号生成部」（１５２５）と、「中止制御手段」（１５２８）を有する「リモコン装置制御部」（１５２６）と、「グラフィック映像情報保持部」（１５２９）を有し、「リモコン装置制御部」（１５２６）は、さらに、「第一グラフィック映像表示制御手段」（１５３０）を有する。
【００７３】
「グラフィック映像情報保持部」（１５２９）は、ユーザに対して操作入力を案内するためのグラフィック映像情報を保持する機能を有する。グラフィック映像情報とは、視覚に訴え情報を伝達するために表示される図柄などのグラフィック映像をリモコン映像表示部にて表示させるための映像情報を意味する。このグラフィック映像は、リモコン映像表示部に表示されることにより、ユーザに対して操作入力を視覚的に案内することができ、直感的な操作が可能になる。グラフィック映像は、静止画に限らず操作に応じて動的に変化する映像であってもよい。図１６にグラフィック映像がリモコン映像表示部にて表示されている具体例を示す。図１６Ａのリモコン映像表示部（１６０１）には「１」から「１２」までの数字キーと「決定」などの操作キーが表示されていて、チャンネルを選択するなどの操作を案内する。図１６Ｂのリモコン映像表示部（１６０２）には上下左右を指す矢印上の方向指示キーと決定を促す中央の丸型のキーが表示されていて、方向指示操作や決定操作を案内する。図１６Ｃのリモコン映像表示部（１６０３）には羽根車上の図柄が表示されていて、これを回すようになぞる操作を案内する。図１６Ｄのリモコン映像表示部（１６０４）には複数のカードが環状に配置されている様子を立体的に表示していて、カードをめくるようになぞる操作や下方向の矢印に示唆されてＥＰＧを選択する操作を案内する。グラフィック映像情報保持部は上記のようなグラフィック映像情報をＨＤＤやメモリ等の記憶装置に格納して保持する。
【００７４】
「第一グラフィック映像表示制御手段」（１５３０）は、視聴開始制御用信号をテレビ装置に送信するようにリモコン側通信部を制御することに応じて、グラフィック映像情報保持部に保持されているグラフィック映像情報を表示させるようにリモコン映像表示部を制御する機能を有する。視聴開始制御用信号がテレビ装置に送信されることにより、テレビ装置では、お勧め映像として選択されたコンテンツの視聴のための出力が開始される。そして、視聴時に求められる操作入力を案内するためにグラフィック映像情報を表示させるようにリモコン映像表示部を制御する。第一グラフィック映像表示制御手段の制御によりリモコン映像表示部が表示する具体例は、上記グラフィック映像情報保持部にて説明したので省略する。
＜実施形態５  ハードウェア構成＞
【００７５】
本実施形態のリモコンリコメンドシステムのハードウェア構成部の働きについて説明する。なお、本実施形態のテレビ装置については、実施形態４と同様であるため説明を省略する。ここでは、主に、「グラフィック映像情報保持部」と「第一グラフィック映像表示制御手段」を有する「リモコン装置制御部」に関するハードウェア構成について説明する。リモコン装置は、グラフィック映像情報保持部に記憶装置を備える。ＣＰＵは、操作信号送受信回路を介して視聴開始制御用信号をテレビ装置に送信し、記憶装置に保持されたグラフィック映像情報を取得し、表示回路に送出する。そして、表示回路に対してＶＲＡＭ上で描画処理を行うよう指示する。そして、描画処理により生成したグラフィック映像をリモコン装置に備えられたディスプレイやタッチパネルに出力し、表示する。
＜実施形態５  効果＞
【００７６】
本実施形態におけるリモコンリコメンドシステムにより、テレビ装置での視聴時に行われる操作入力をグラフィック映像により案内することで直感的な操作が可能となる。
＜実施形態６＞
＜実施形態６  概要＞
【００７７】
本実施形態は、実施形態５を基本として、お勧め映像がリモコン映像表示部に表示中には、グラフィック映像を表示させないことを特徴とするリモコンリコメンドシステムである。
＜実施形態６  構成＞
【００７８】
本実施形態のリモコンリコメンドシステムは、実施形態５におけるリモコン装置制御部が、さらに、第二グラフィック映像表示制御手段を有するものである。
【００７９】
本実施形態に係るリモコンリコメンドシステムの機能ブロック図を図１７に例示する。リモコンリコメンドシステムは、「テレビ装置」（１７００）と「リモコン装置」（１７２０）とを備える。テレビ装置は、「視聴部」（１７０１）と、「ユーザキーワード保持手段」（１７１０）と、「コンテンツ検索情報保持手段」（１７０９）と、「ルール保持手段」（１７１０）を有する「条件保持部」（１７０２）と、「映像情報取得部」（１７０３）と、「スタンバイ状態検知部」（１７０４）と、「お勧め送信制御手段」（１７０６）を有する「テレビ装置制御部」（１７０５）と、「テレビ側通信部」（１７０７）とを有する。リモコン装置は、「リモコン側通信部」（１７２１）と、「操作入力受付部」（１７２２）と、「リモコン映像表示部」（１７２３）とからなる「タッチパネル部」（１７２７）と、「選択入力検知部」（１７２４）と、「視聴開始制御用信号生成部」（１７２５）と、「中止制御手段」（１７２８）と「第一グラフィック映像表示制御手段」（１７３０）を有する「リモコン装置制御部」（１７２６）と、「グラフィック映像情報保持部」（１７２９）を有し、「リモコン装置制御部」（１７２６）は、さらに、「第二グラフィック映像表示制御手段」（１７３１）を有する。
【００８０】
「第二グラフィック映像表示制御手段」（１７３１）は、受信した映像情報をお勧め映像としてリモコン映像表示部に表示中は、グラフィック映像情報保持部に保持されているグラフィック映像情報を表示させないようにリモコン映像表示部を制御する。テレビ装置の少なくとも視聴部がスタンバイ状態となった場合には、リモコン装置は、映像情報を受信する。該受信に応じてグラフィック映像情報を表示させないように制御することにより、リモコン映像表示部にはお勧め映像のみが表示されることになる。
【００８１】
本実施形態のリモコンリコメンドシステムのハードウェア構成は、実施形態５における構成に準ずるものであるため、説明を省略する。
＜実施形態６  効果＞
【００８２】
本実施形態におけるリモコンリコメンドシステムにより、テレビ装置がスタンバイ状態にあるか否かに応じて、お勧め映像とグラフィック映像のいずれかが択一的に表示される。
【図面の簡単な説明】
【００８３】
【図１】実施形態１に係るリモコンリコメンドシステムの概要を表す一例図
【図２】実施形態１に係るリモコンリコメンドシステムの機能ブロック図
【図３】実施形態１のリモコン装置でのお勧め映像の一例図
【図４】実施形態１のリモコン装置でのお勧め映像の一例図
【図５】実施形態１に係るテレビ装置のハードウェア構成の一例図
【図６】実施形態１に係るリモコン装置のハードウェア構成の一例図
【図７Ａ】実施形態１に係るテレビ装置の動作方法のフロー図
【図７Ｂ】実施形態１に係るリモコン装置の動作方法のフロー図
【図８】実施形態２に係るリモコンリコメンドシステムの機能ブロック図
【図９】実施形態２に係るリモコン装置のハードウェア構成の一例図
【図１０】実施形態３に係るリモコンリコメンドシステムの機能ブロック図
【図１１】実施形態３に係るユーザキーワードの一例図
【図１２】実施形態３に係るコンテンツ検索情報の一例図
【図１３】実施形態３に係るテレビ装置のハードウェア構成の一例図
【図１４】実施形態４に係るリモコンリコメンドシステムの機能ブロック図
【図１５】実施形態５に係るリモコンリコメンドシステムの機能ブロック図
【図１６】実施形態５に係るグラフィック映像が表示されたリモコン装置の一例図
【図１７】実施形態６に係るテレビ装置のハードウェア構成の一例図
【符号の説明】
【００８４】
０１００    スタンバイ状態のテレビ装置
０１０１    非スタンバイ状態のテレビ装置
０１１０    スタンバイ状態のリモコン装置
０１１１    スタンバイ状態のリモコン映像表示部
０１１２    非スタンバイ状態のリモコン装置
０１１３    非スタンバイ状態のリモコン映像表示部
【図１】
2010147726.tif 000003
【図２】
2010147726.tif 000004
【図３】
2010147726.tif 000005
【図４】
2010147726.tif 000006
【図５】
2010147726.tif 000007
【図６】
2010147726.tif 000008
【図７Ａ】
2010147726.tif 000009
【図７Ｂ】
2010147726.tif 000010
【図８】
2010147726.tif 000011
【図９】
2010147726.tif 000012
【図１０】
2010147726.tif 000013
【図１１】
2010147726.tif 000014
【図１２】
2010147726.tif 000015
【図１３】
2010147726.tif 000016
【図１４】
2010147726.tif 000017
【図１５】
2010147726.tif 000018
【図１６】
2010147726.tif 000019
【図１７】
2010147726.tif 000020